(57)【特許請求の範囲】
【請求項１】
内部に避難室を有するコンクリート造のシェルター本体を本体として有し、そのシェルター本体は、設置基盤よりも下側に埋設された下側シェルター本体と、下側シェルター本体と連通する形で一体に形成され設置基盤よりも上側にも立ち上がった形とされた上側シェルター本体とを有し、上側シェルター本体は、内部の避難室に外部からの避難者を誘導可能な密閉可能型扉付き避難口、および避難口と避難室との間を連絡する避難経路を有する津波・洪水など非常事態時の避難用シェルターであって、上側シェルター本体は、左右の側壁部と前対抗壁部と上壁部と避難用背側傾斜部とを有して側面視山形で左右に一定の幅をもつ立体型をしているとともに、前記左右の側壁部は、設置基盤に沿った底辺と、底辺の上方に位置する上辺と、津波の押し波が襲来してくる側となる前辺と、避難用背側傾斜部の両側に対応して位置する後斜辺とでなり、前記前対抗壁部は、津波の押し波に対抗する側において左右の側壁部の前辺間に亘るように設置基盤から立ち上がり状に形成され、前記上壁部は、前対抗壁部の上端につながるように左右の上辺間に亘って設けられ、前記避難用背側傾斜部は、設置基盤から上向きに延びる左右に離間して配された一対の階段やスロープである登降手段と、左右の登降手段間にありそれぞれが水平面状をなし下の段から上の段へと段階状をなして形成された避難誘導路と、その避難誘導路の左右に対応して立ち上がり避難誘導路とともに凹所を形成する側面壁とを備え、上下段階状に設けられた各避難誘導路の奥まったところに前記密閉扉付きの前記避難口が設けられるとともに、前記各登降手段の左右外側端に相当する個所には側面ガードが立設されていることを特徴とする津波・洪水など非常事態時の避難用シェルター。
【発明の詳細な説明】
【技術分野】
【０００１】  この発明は、津波・洪水など非常事態時の避難用シェルターに関する。
【背景技術】
【０００２】  先般の東日本大震災において発生した津波は、想定を大きく超えるものであるとともに地盤沈下もあって２０ｍを超えるところもあった。本出願人は、そうした高い津波の襲来を想定した津波避難装置を提案している。【０００３】
【特許文献１】  特開２００８−１４１１２
【発明の概要】
【発明が解決しようとする課題】
【０００４】  特許文献１に開示された津波避難装置によれば、鉄骨構造型の高い津波避難装置であることからそこに避難すれば津波から助かることができるのであるが、最近公表された津波襲来想定高さの見直しによれば、２０ｍをはるかに超えた３０ｍ以上の市町村もあり、それに対応する津波避難装置を構築するとなると４０ｍ以上の装置となってしまい、そうなると高い装置では、登って避難するにも時間が掛かりしかも装置全体に津波波力が加わると構造体が浮き上がったり損傷を受けたりするおそれも想定される。そうした問題を解消するためには、避難用のシェルターを設置する提案がある。このシェルター方式は、避難の主要部であるシェルター本体部分を地下に埋設し、その本体部分に通じる避難口を地上高さに開設して密閉扉で閉止する方式とされるのが一般的なものである。こうしたシェルターであると、実際に津波の襲来警報を受けて一定の時間をリミットにして密閉扉を閉じなければ津波流からの安全は確保できないため当然閉止されるものである一方、密閉扉が一旦閉止されてしまうとそのあとに駆け込もうとしてもシェルター内に避難することさえできず残されてしまった住民は他に助かる途はなく津波流に巻き込まれてしまうという不公平さが大きな問題となってくる。【０００５】  この発明は、上記問題を解決しようとするものであり、シェルター内の気密性を確保しつつ避難可能な時間帯を長くとることができてできるだけ多くの住民を避難させることのできる津波・洪水など非常事態時の避難用シェルターを提供することを目的とする。
【課題を解決するための手段】
【０００６】  この発明は上記目的を達成するため、請求項１に記載の発明は、内部に避難室を有するコンクリート造のシェルター本体を本体として有し、そのシェルター本体は、設置基盤よりも下側に埋設された下側シェルター本体と、下側シェルター本体と連通する形で一体に形成され設置基盤よりも上側にも立ち上がった形とされた上側シェルター本体とを有し、上側シェルター本体は、内部の避難室に外部からの避難者を誘導可能な密閉可能型扉付き避難口、および避難口と避難室との間を連絡する避難経路を有する津波・洪水など非常事態時の避難用シェルターであって、上側シェルター本体は、左右の側壁部と前対抗壁部と上壁部と避難用背側傾斜部とを有して側面視山形で左右に一定の幅をもつ立体型をしているとともに、前記左右の側壁部は、設置基盤に沿った底辺と、底辺の上方に位置する上辺と、津波の押し波が襲来してくる側となる前辺と、避難用背側傾斜部の両側に対応して位置する後斜辺とでなり、前記前対抗壁部は、津波の押し波に対抗する側において左右の側壁部の前辺間に亘るように設置基盤から立ち上がり状に形成され、前記上壁部は、前対抗壁部の上端につながるように左右の上辺間に亘って設けられ、前記避難用背側傾斜部は、設置基盤から上向きに延びる左右に離間して配された一対の階段やスロープである登降手段と、左右の登降手段間にありそれぞれが水平面状をなし下の段から上の段へと段階状をなして形成された避難誘導路と、その避難誘導路の左右に対応して立ち上がり避難誘導路とともに凹所を形成する側面壁とを備え、上下段階状に設けられた各避難誘導路の奥まったところに前記密閉扉付きの前記避難口が設けられるとともに、前記各登降手段の左右外側端に相当する個所には側面ガードが立設されていることを特徴とする。
【発明の効果】
【０００７】  上述したようにこの発明は、内部に避難室を有するコンクリート造のシェルター本体を本体として有し、そのシェルター本体は、設置基盤よりも下側に埋設された下側シェルター本体と、下側シェルター本体と連通する形で一体に形成され設置基盤よりも上側にも立ち上がった形とされた上側シェルター本体とを有し、上側シェルター本体は、内部の避難室に外部からの避難者を誘導可能な密閉可能型扉付き避難口、および避難口と避難室との間を連絡する避難経路を有する津波・洪水など非常事態時の避難用シェルターであって、上側シェルター本体は、左右の側壁部と前対抗壁部と上壁部と避難用背側傾斜部とを有して側面視山形で左右に一定の幅をもつ立体型をしているとともに、前記左右の側壁部は、設置基盤に沿った底辺と、底辺の上方に位置する上辺と、津波の押し波が襲来してくる側となる前辺と、避難用背側傾斜部の両側に対応して位置する後斜辺とでなり、前記前対抗壁部は、津波の押し波に対抗する側において左右の側壁部の前辺間に亘るように設置基盤から立ち上がり状に形成され、前記上壁部は、前対抗壁部の上端につながるように左右の上辺間に亘って設けられ、前記避難用背側傾斜部は、設置基盤から上向きに延びる左右に離間して配された一対の階段やスロープである登降手段と、左右の登降手段間にありそれぞれが水平面状をなし下の段から上の段へと段階状をなして形成された避難誘導路と、その避難誘導路の左右に対応して立ち上がり避難誘導路とともに凹所を形成する側面壁とを備え、上下段階状に設けられた各避難誘導路の奥まったところに前記密閉扉付きの前記避難口が設けられるとともに、前記各登降手段の左右外側端に相当する個所には側面ガードが立設されていることを特徴とするので、シェルター内の気密性を確保しつつ避難可能な時間帯を長くとることができてできるだけ多くの住民を避難させることのできる津波・洪水など非常事態時の避難用シェルターを提供することができる。
【図面の簡単な説明】
【０００８】
【図１】  この発明の一実施形態を図２の上面図として示すシェルターの平面図。
【図２】  図１のシェルターの側面図。
【図３】  避難経路の他の実施形態を示すの平面模式図。
【図４】  図３のＡ−Ａ線断面図。
【図５】  避難経路の他の実施形態を示す平面模式図。
【図６】  避難口を津波流から護るための他の実施形態を示す斜視図。
【図７】  避難経路についての他の実施形態を示す縦断面図。
【図８】  外部避難階段と避難口についての他の実施形態を示す斜視図。
【図９】  外部避難階段と避難口についての他の実施形態を示す正面図。
【図１０】  他の実施形態を図１１の上面図として示すシェルターの平面図。
【図１１】  図１０の側面図。
【図１２】  他の実施形態を示すシェルター側面図。
【発明を実施するための形態】
【０００９】  以下、本発明の一実施形態を説明する。各実施形態で説明する各案は関係する他の実施形態においても適用することができる。
図１および図２は津波（あるいは洪水）用シェルターの一実施形態を示すもので、１は設置基盤、２はシェルターで、同シェルター２はＲＣ構造の一体物からなり、下側シェルター本体３と上側シェルター本体４とでなる。矢印Ｘは津波の押し波、−Ｘは津波の引き波を示すもので、これらの設置地域において少なくとも公的に認定されるいわゆる襲来想定方向である。
【００１０】  下側シェルター本体３は、Ｘ方向を前側とする場合、前後に長く幅を前後長よりも短くした矩形平面上の六面立体であり、その内部は、一体の上下仕切壁５を介して上下２階造りの下避難室６が形成されている。この下側シェルター本体３の内部には、空調装置７が上下階に連通するものとして設置されている他、食糧や飲料水などの備蓄倉庫８も数個所に配備されている。９は避難椅子で、他にトイレや寝室も完備される。下側シェルター本体３は、２階造りであるが１階造りや３階以上の造りにしてもよい。また、図２の右下欄に示すように、本体３の外周は耐震層１０で覆ったり免震層で囲んで地震対策用としてもよい。また、下避難質６内には、適数本の支柱を配備して補強を図ることができる。
【００１１】  上側シェルター本体４は、下側シェルター本体３よりも幅狭状で前部が面取り型で垂直な面とされる一方、後部は後方から階段状に立ち上がる特殊形状のＲＣ造りとされ前記下側シェルター本体３と一体構造をなすものになっている。階段状に立ち上がる部分を押し波Ｘに対しその背方へ位置させたのは上側シェルター本体４が押し波Ｘを左右分流にして寄せ付けないようにすることでその間避難しやすいようにするためである。
【００１２】  上側シェルター本体４は、１階・２階・３階部分を有し、その各後端には、１階避難口１３・２階避難口１４・３階避難口１５が設けられ、それぞれに密閉扉１６…が内部より密閉操作可能に設けられているとともに、各階避難口１３〜１５の内部には、安全扉１７を介して上下３階層をなす第１・第２・第３避難路（避難経路）１８，１９，２０が床壁２１により形成されている。
２３は外部避難階段で、上側シェルター本体４の後部両側（あるいは片側のみ）に沿って立ち上がり、設置基盤１から２階・３階避難口１４，１５へ避難者を誘導できるようにしてある。２４は２階および３階の踊り場である。２５は天壁である。
【００１３】  ２７は避難スロープ（避難経路）で、第３避難路２０から第２避難路１９へ、また第２避難路１９から下避難室６の仕切り壁５上へ誘導するための折り返し式スロープであり、さらに第１避難路１８から下避難室６の仕切り壁５上へ誘導する直線式スロープとでなる。２８は地下２階スロープ（避難経路）である。これら避難スロープ２７，２８は階段式とすることができる。
尚、上側シェルター本体４は、図２の仮想線のようにさらに４階建てそれ以上にすることもできる。
また、シェルター２の前後には、緩衝杭２９を立設固定してもよい。この場合、緩衝杭２９の上端にはローラー３０を付けておいてアンカー３１間に渡したワイヤ３２の上端を掛け回して津波流Ｘ，−Ｘがワイヤ３２に作用した際に垂直押下げ力が緩衝杭２９に作用して押し倒されないようにすることができる。
さらに、緩衝杭２９をパイプ製とした場合、その上端を酸素取り入れおよびガス排出用として利用し、空調装置７に接続することで避難室６内の空調を可能にすることができる。その場合の空調装置７の駆動は、図示しない太陽光発電・充電装置により行うことができる。
また、３４は前後の防護壁で、湾曲状あるいはくの字形などのＲＣ壁によりなるもので、津波流Ｘ、−Ｘを受け留めながら左右に分流化してシェルター２に直接津波流が流れないようにするものである。この防護壁３４は、シェルター２の後方での避難をより安全確実なものとする。
【００１４】  図１に示すように避難スロープ２７は折り返し式であってその途中が平坦面となっていたが、図３および図４に示すように、半円状で下がり傾斜するように連続したものになっていてもよい。避難が早く滞りなく行われるようになるし、シェルター２の前端部の形状が丸くなるので分流化もあって津波流Ｘに強く対抗することができるようになる。尚、図４に示すように避難スロープ２７のぶつかるであろう面には安全クッション３６を設置することが安全である。
【００１５】  図１および図２に示すようなシェルター２は、平時には演奏会や地域集会所などに利用可能である。その場合、図５のようにスロープ２７に平行に階段３８を備えておくと、スロープ２７を使って滑ることにより衣服を傷めるおそれがなく、また階段３８を使って物資を確実に運ぶことも可能になる。
【００１６】  図１および図２に示す実施形態では、避難口１３，１４，１５が上側シェルター本体４のコンクリート開口端部近くに開設されていたので、押し波Ｘの水位が高くなってくると回り込んできて浸水のおそれも出てくるが、図６に示すように、上側シェルター本体４を密閉扉１６が充分奥まった位置に隠れるように突き出し状にしておけば、押し波Ｘによる浸水被害を未然に防止することができる。
【００１７】  図７は、図２の実施形態における避難スロープ２７や他のタイプのシェルターに設けられるスロープにおいて緊急時に滑りこけて後頭部を打ったりしないように、スロープ２７の水平路面端とそれに続く斜面上端部とに跨るようにしてやや滑りにくくクッション効果のあるゴム製や樹脂製の緩衝マット４０を貼り付けた実施形態である。このマット４０は左下欄にも示すように凹凸表面をもつものにして、より安全なものにしてもよい。
【００１８】  図８は他の実施形態を示す。同実施形態は、ＲＣ製上側シェルター本体４２を右下欄（全体側面図）のように山形に形成してその一側面に全幅型の階段（あるいは登りスロープ）４３を一体形成し、その階段４３の高さ方向に複数の避難誘導路４４を設けてその奥まったところに密閉扉４５を配置したものである。４６は津波流の回り込みを防ぐ側面ガードで手摺も兼ねている。４７は安全ガードで手摺としての機能や避難誘導路４４内への落ち込み防止を図るものである。４８は下側シェルター本体で、上側シェルター本体４２と一体式である。避難口４９より内部の避難経路は、図１ないし図５に示すような実施形態を採用できる。
【００１９】  図９の実施形態は、避難誘導路４４を上側シェルター本体４２の一側に配置したものである。
【００２０】  図１０および図１１は、図１および図２に示す実施形態のシェルター２を本体としその前側に津波想定高さを超えるラセン型避難誘導タワー５２を追加構築してシェルター２の外部避難階段２３によっても避難できない状況の人をも含めてできるだけ多くの人をシェルター内に安全確実に避難誘導させ得るようにした実施形態である。
【００２１】  ５３は主筒で、丸形あるいは角形の金属あるいはＲＣ造りのもので、その上下端は閉止したものになっている。この主筒５３は、設置基盤１に埋設固定された固定基礎５４によりその基部が固定されてその地域に想定された津波想定高さを充分超える高さまで高く垂直に立設されている。この主筒５３の外周には複数本の周ガード５５が建てられるとともにラセン型の外登降手段５６が取り付けられている。外登降手段５６は、階段あるいはスロープ、もしくは階段とスロープの併設型でもよく上端まで伸びていて設置基盤１上の避難者をその上端から主筒５３の上面まで誘導できるようになっている。一方、主筒５３の上面は閉止されているが、その一部には通穴が明けられており、その通穴に設けられたハッチ５７を開くことで中に設けたスロープあるいは階段式の内登降手段５８に乗り移ることができるようになっている。内登降手段５８は、シェルター２の最上階の床面高さ程度に対応するように設けられ、シェルター２の最上階と主筒５３の対応個所との間を強く結ぶ連絡筒橋５９を通じて避難口６０からシェルター２内に避難できるようになっている。６１は中心パイプで、タワー５２の中心に固定して貫通されており、その下端は空調装置７に接続される一方上端には酸素吸入パイプ６２と内ガス排出パイプ６３を備えてシェルター２内への酸素の補給と発生ガスの排出を可能にしている。空調装置７その他を駆動するため、タワー上にはソーラーパネル６４を設置したり津波の襲来状況を確認するための映写装置も設置される。
【００２２】  津波の襲来が警告されると、周辺住民はこのシェルター２を利用して次々に避難する。ある人は外部避難階段２３を利用して避難するが、避難が遅れたりした人は付設のラセン型避難誘導タワー５２を利用して避難することができる。避難者は外登降手段５６により上端まで登り、開いたハッチ５７の通穴を通じて内登降手段５８に乗り移り、同手段５８を利用して降りて連絡筒橋５９を通じてシェルター２内に避難し、上・下避難室に避難する。
尚、図１１に仮想線で示すように主筒５３の地下部分と下側シェルター本体３とを地下連通橋６５で接続してもよい。この場合、上側シェルター本体４および連絡筒橋５９は省略することができる。内登降手段５８は地下連通橋６５のある高さまで低く伸ばすものとする。
【００２３】  図１２は他の実施形態を示す。同実施形態は、ＲＣ製地下シェルター６９上に避難誘導構造体７０を一体形成して高さ方向に複数の避難口を開けてその避難口に密閉ドア６７を装備するとともに内部には避難経路（階段あるいはスロープ）７２を設けて地下シェルター６９内の避難スロープ２７に接続して避難室６内に最終避難可能としてある。また、同構造体７０の津波流Ｘに対する後側となる箇所にラセン型避難誘導タワー７１を立設して、構造体７０の避難口と同タワー７１の異なる高さとの間を第１〜第５連絡橋６８を結んでおいて、例えば、津波警報後に１階の避難口を利用して避難がなされたあと当該密閉ドア６７が時間リミットで閉じられたあとも、タワー７１を登れば２階、３階…の連絡橋６８と避難口選んで構造体７０内に避難可能としてある。
尚、設置基盤７３の津波襲来想定側Ｘおよび引き波襲来想定側−Ｘには、防護堤７４を配し、これらに各端部を結んだワイヤ７５を、構造体７０およびタワー７１の上端に備えたシーブ７６を経由するように掛け渡して津波流により構造体７０やタワー７１などが下向き力を得て安定するように構成してもよい。ワイヤ７５は右上欄のように複数本張設しておいてその間に津波流Ｘを受ける面材７７を設けておくことによりこの面材７７がワイヤ７５の張力を大きく発生し前記下向き力を強力に発生することから構造体７０やタワー７１の安定性をより向上させ得るものとなる。
【符号の説明】
【００２４】  ２…シェルター  ３…下側シェルター本体  ４…上側シェルター本体  １３，１４，１５…避難口  １６…密閉扉  ２３…外部避難階段。
【図１】
0006031704.tif 000002
【図２】
0006031704.tif 000003
【図３】
0006031704.tif 000004
【図４】
0006031704.tif 000005
【図５】
0006031704.tif 000006
【図６】
0006031704.tif 000007
【図７】
0006031704.tif 000008
【図８】
0006031704.tif 000009
【図９】
0006031704.tif 000010
【図１０】
0006031704.tif 000011
【図１１】
0006031704.tif 000012
【図１２】
0006031704.tif 000013